【手続補正書】
【提出日】平成18年7月31日(2006.7.31)
【手続補正１】
【補正対象書類名】明細書
【補正対象項目名】特許請求の範囲
【補正方法】変更
【補正の内容】
【特許請求の範囲】
【請求項１】
射出成形に用いる、冷却液導管（１１２）を有した一組のねじ部割り型インサート（１２、１４）を製造する方法であって、
（ａ）中空の内側部品（４４）を鋳造する工程と、
（ｂ）中空の外側部品（４６）を製造する工程と、
（ｃ）前記中空の内側部品（４４）と前記中空の外側部品（４６）とを一体にろう付けする工程と、
（ｄ）一体となった前記中空の内側および外側部品（４４、４６）を切断して一組の割り型インサート（１２、１４）を形成する工程と、
を備え、
前記冷却液導管（１１２）が、前記中空の内側および外側部品（４４、４６）間で一致するようにしたことを特徴とする一組の割り型インサート（１２、１４）を製造する方法。
【請求項２】
前記一組の割り型インサート（１２、１４）の外側部品（４６）が機械加工によって製造されることを特徴とする請求項１に記載した一組の割り型インサート（１２、１４）を製造する方法。
【請求項３】
前記割り型インサート（１２、１４）の内側および外側部品（４４、４６）が放電加工機によって半分に切断されることを特徴とする請求項２に記載した一組の割り型インサート（１２、１４）を製造する方法。
【請求項４】
前記割り型インサート（１２、１４）の内側および外側部品（４４、４６）を機械加工して、前記割り型インサート（１２、１４）に所望の仕上げおよび形状を付与することをさらに含むことを特徴とする請求項３に記載した一組の割り型インサート（１２、１４）を製造する方法。
【請求項５】
細長い中空のプリフォーム（１０）を射出成形するために用いる請求項１乃至４のいずれかに記載の一組の割り型インサート（１２、１４）を製造する方法であって、
各プリフォーム（１０）は外側表面（１８）を具備した首部分（１６）を有しており、
各割り型インサート（１２、１４）は、湾曲した内側表面（３４）に対して互いに反対側へ延びる、互いに位置合わせされた第１および第２の内側表面（３０、３２）を有しており、
前記割り型インサート（１２、１４）は、それぞれの前記内側表面（３０、３２）が互いに当接するように金型内に一緒に取り付けられ、
前記割り型インサート（１２、１４）の湾曲した内側表面（３４）は、互いに組み合わされて、前記プリフォーム（１０）の首部分の外側表面をモールド成形するように形づくられた貫通開口を形成し、
（ａ）２つの冷却液導管（１１２）の内側部分（８４）を部分的に形成するための溝（８２）を具備した外側表面（８０）を有し、各冷却液導管（１１２）が前記割り型インサート（１２、１４）のうちの一方の湾曲した内側表面（３４）の周りに延びている、中心縦方向軸線の周りに延びる前記割り型インサート（１２、１４）の組の中空の内側部品（４４）を形成するために、金型内において適切な金属を鋳造する工程と、
（ｂ）前記内側部品（４４）の外側表面（８０）の周りに外嵌する内側表面（１０８）を有した貫通開口（１０６）と、それぞれの流入口（１１４）および流出口（１１６）へと延びる前記２つの冷却液導管（１１２）の外側部分（１１０）とを具備する予め定められた形状を備えた、前記割り型インサート（１２、１４）の組の中空の外側部品（４６）を適切な金属で製造する工程と、
（ｃ）前記外側部品（４６）を、前記２つの冷却液導管（１１２）の内側部分および外側部分（８４、１１０）が互いに一致するように、前記内側部品（４４）の周りに取り付けて一体にろう付けする工程と、
（ｄ）前記割り型インサート（１２、１４）のそれぞれが内部に冷却液導管（１１２）の一つを有するように、前記内側部品および前記外側部品（４４、４６）を切断して、前記割り型インサート（１２、１４）の組を形成する工程と、
を備えることを特徴とする一組の割り型インサート（１２、１４）を製造する方法。
【請求項６】
請求項１乃至４のいずれかに記載の方法によって製造される、細長い中空のプリフォーム（１０）を射出成形するために用いる一組のねじ部割り型インサート（１２、１４）であって、
各プリフォーム（１０）は外側表面（１８）を具備した首部分（１６）を有しており、
各割り型インサート（１２、１４）は、湾曲した内側表面（３４）に対して互いに反対側へ延びる、互いに位置合わせされた第１および第２の内側表面（３０、３２）を有しており、
前記割り型インサート（１２、１４）は、それぞれの前記内側表面（３０、３２）が互いに当接するように金型内に一緒に取り付けられ、
前記割り型インサート（１２、１４）の湾曲した内側表面（３４）は、互いに組み合わされて、前記プリフォーム（１０）の首部分の外側表面をモールド成形するように形づくられた貫通開口を形成し、
各割り型インサート（１２、１４）は、外側表面（８０）を有した内側部品（４４）と、外側部品（４６）とを備えており、
各外側部品（４６）は、各内側部品（４４）の外側表面（８０）の周りに外嵌する内側表面（１０８）を有しており、
各外側部品（４６）は、各内側部品（４４）の周りに一体にろう付けされている、
ことを特徴とする一組のねじ部割り型インサート（１２、１４）。
【請求項７】
各内側部品（４４）の外側表面（８０）は、冷却液導管（１１２）の内側部分（８４）を部分的に形成するための溝（８２）を有しており、
各冷却液導管（１１２）は、前記割り型インサート（１２、１４）のうち一方の湾曲した内側表面（３４）の周りに延びており、
各外側部品（４６）は、流入口（１１４）および流出口（１１６）へと延びる冷却液導管（１１２）の外側部分（１１０）を有しており、
各外側部品（４６）は、各冷却液導管（１１２）の内側部分および外側部分（８４、１１０）が互いに一致するように、各内側部品（４４）の周りに取り付けられていることを特徴とする請求項６に記載した一組の割り型インサート（１２、１４）。
【請求項８】
各割り型インサート（１２、１４）の湾曲した内側表面（３４）には、前記プリフォーム（１０）の首部（１６）の外側表面（１８）にねじ山（２２）を形成するためのねじ部（３８）が設けられていることを特徴とする請求項６に記載した一組の割り型インサート（１２、１４）。
【請求項９】
細長い中空のプリフォーム（１０）を射出成形する方法であって、
各プリフォーム（１０）は外側表面（１８）を具備した首部分（１６）を有しており、
（ａ）請求項１乃至４のいずれかに記載の方法に基づいて製造されたねじ部割り型インサート（１２、１４）の複数の組をマルチキャビティ金型内に取り付ける工程であって、
各割り型インサート（１２、１４）は、湾曲した内側表面（３４）に対して互いに反対側へ延びる、互いに位置合わせされた第１および第２の内側表面（３０、３２）を有しており、
前記割り型インサート（１２、１４）は、それぞれの前記内側表面（３０、３２）が互いに当接するように金型内に一緒に取り付けられ、
前記割り型インサート（１２、１４）の湾曲した内側表面（３４）は、互いに組み合わされて、前記プリフォーム（１０）の首部分の外側表面をモールド成形するように形づくられた貫通開口を形成し、
各割り型インサート（１２、１４）は、外側表面（８０）を有した内側部品（４４）と、外側部品（４６）とを備えており、
各外側部品（４６）は、各内側部品（４４）の外側表面（８０）の周りに外嵌する内側表面（１０８）を有しており、
各外側部品（４６）は、各内側部品（４４）の周りに取り付けられ、
各内側部品（４４）の外側表面（８０）は、冷却液導管（１１２）の内側部分（８４）を部分的に形成するための溝（８２）を有しており、
各冷却液導管（１１２）は、前記割り型インサート（１２、１４）のうち一方の湾曲した内側表面（３４）の周りに延びており、
各外側部品（４６）は、流入口（１１４）および流出口（１１６）へと延びる冷却液導管（１１２）の外側部分（１１０）を有しており、
各外側部品（４６）は、各冷却液導管（１１２）の内側部分および外側部分（８４、１１０）が互いに一致するように、各内側部品（４４）の周りに取り付けられる工程と、
（ｂ）各割り型インサート（１２、１４）における冷却液導管（１１２）の流入口（１１４）に冷却液の供給源を接続し、各冷却液導管（１１２）を通して循環させる工程と、
（ｃ）予め定められた射出サイクルにしたがって、成形機から、各組の割り型インサート（１２、１４）における開口の前記キャビティ内へと、加圧された溶融物を射出する工程と、
（ｄ）前記プリフォーム（１０）を排出するために金型を開く工程と、
を備えることを特徴とする方法。
【請求項１０】
細長い中空のプリフォーム（１０）を射出成形する装置であって、
各プリフォーム（１０）は外側表面（１８）を具備した首部分（１６）を有しており、
マルチキャビティ金型および成形機を備えており、  
前記マルチキャビティ金型には、請求項６乃至８のいずれかに記載のねじ部割り型インサート（１２、１４）の複数の組が設けられ、
各割り型インサート（１２、１４）は、湾曲した内側表面（３４）に対して互いに反対側へ延びる、互いに位置合わせされた第１および第２の内側表面（３０、３２）を有しており、
前記割り型インサート（１２、１４）は、それぞれの前記内側表面（３０、３２）が互いに当接するように金型内に一緒に取り付けられ、
前記割り型インサート（１２、１４）の湾曲した内側表面（３４）は、互いに組み合わされて、前記プリフォーム（１０）の首部分の外側表面をモールド成形するように形づくられた貫通開口を形成し、
各割り型インサート（１２、１４）は、外側表面（８０）を有した内側部品（４４）と、外側部品（４６）とを備えており、
各外側部品（４６）は、各内側部品（４４）の外側表面（８０）の周りに外嵌する内側表面（１０８）を有しており、
各外側部品（４６）は、各内側部品（４４）の周りに取り付けられ、
各内側部品（４４）の外側表面（８０）は、冷却液導管（１１２）の内側部分（８４）を部分的に形成するための溝（８２）を有しており、
各冷却液導管（１１２）は、前記割り型インサート（１２、１４）のうち一方の湾曲した内側表面（３４）の周りに延びており、
各外側部品（４６）は、流入口（１１４）および流出口（１１６）へと延びる冷却液導管（１１２）の外側部分（１１０）を有しており、
各外側部品（４６）は、各冷却液導管（１１２）の内側部分および外側部分（８４、１１０）が互いに一致するように、各内側部品（４４）の周りに取り付けられていることを特徴とする装置。
【請求項１１】
射出成形に用いる一組の割り型インサートを製造する方法であって、
（ａ）中空の内側部品を鋳造する工程と、
（ｂ）中空の外側部品を機械加工する工程と、
（ｃ）前記中空の内側部品と前記中空の外側部品とを一体にろう付けする工程と、
（ｄ）一体となった前記中空の内側および外側部品を切断して一組の割り型インサートを形成する工程と、
を備えたことを特徴とする一組の割り型インサートを製造する方法。